(57)【要約】【課題】  光ファイバスペーサの製造工程において光ファイバスペーサの走行速度を高速化しても、目板の慣性力の影響で検出精度が低下することのない光ファイバスペーサのスロット測定方法を得る。【解決手段】  光ファイバスペーサ３のスロット３ａの撚りに応じて回転する目板３３の慣性力を打ち消す慣性力消滅手段４３を、目板３３を有したスロット反転角度測定手段３１と共に光ファイバスペーサ３上に配置して、スロット３ａの反転角度の測定を行う。【選択図】  図１
2010102114.tif 000002
【特許請求の範囲】
【請求項１】
略円筒形状の外表面に光ファイバを収納するスロットが一定周期で反転して長手方向に連続形成される光ファイバスペーサにおける前記スロットの反転角度を、前記スロットの撚りに応じて回転する目板の回転量から検出する光ファイバスペーサのスロット測定方法であって、
前記目板の回転による慣性力と大きさが同一で向きが逆の慣性力を発生する慣性力消滅手段を、前記目板を有したスロット反転角度測定手段と共に前記光ファイバスペーサ上に配置して、前記スロットの反転角度の測定を行うことを特徴とする光ファイバスペーサのスロット測定方法。
【請求項２】
前記慣性力消滅手段として、前記スロット反転角度測定手段と同一構成のものを、前記スロット反転角度測定手段の装備位置から前記スロットの半周期ピッチずらした位置に装備して、前記スロットの反転角度の測定を行うことを特徴とする請求項１に記載の光ファイバスペーサのスロット測定方法。
【請求項３】
繰り出される光ファイバスペーサ上に装着されて前記光ファイバスペーサ上のスロットの撚りに応じて回転する目板の回転量から前記スロットの反転角度の検出を行うスロット反転角度測定手段と、前記スロット反転角度測定手段と共に前記光ファイバスペーサ上に配置されて前記目板の回転による慣性力と大きさが同一で向きが逆の慣性力を発する慣性力消滅手段とを備え、
前記慣性力消滅手段は、前記スロット反転角度測定手段と同一構成を成し、前記スロット反転角度測定手段の装備位置から前記スロットの半周期ピッチずらした位置に装備されていることを特徴とする光ファイバスペーサのスロット測定装置。
【請求項４】
繰り出される光ファイバスペーサ上に装着されて前記光ファイバスペーサ上のスロットの撚りに応じて回転する目板の回転量から前記スロットの反転角度の検出を行うスロット反転角度測定手段と、前記スロット反転角度測定手段と共に前記光ファイバスペーサ上に配置されて前記目板の回転による慣性力と大きさが同一で向きが逆の慣性力を発生する慣性力消滅手段とを複数対備え、
前記慣性力消滅手段は、前記スロット反転角度測定手段と同一構成を成し、
互いに対を成すスロット反転角度測定手段と慣性力消滅手段とは、前記スロットの反転位置を挟んで前記反転位置から等距離の位置に配置したことを特徴とする光ファイバスペーサのスロット測定装置。
【発明の詳細な説明】
【技術分野】
【０００１】
本発明は、略円筒形状の外表面に光ファイバを収納するスロットが一定周期で反転して長手方向に連続形成される光ファイバスペーサにおけるスロットの反転角度を、スロットの撚りに応じて回転する目板の回転量から検出する光ファイバスペーサのスロット測定方法及び装置に関する。
【背景技術】
【０００２】
テープスロット型光ファイバケーブルは、ポリエチレン製の光ファイバスペーサの外周に多条に形成された各スロット（溝）にそれぞれ複数本のテープ型光ファイバを積層状態に収容したものである。
【０００３】
スロットは、中間後分岐（スロットに収容されているテープ型光ファイバを後でスロットから取り出して分岐処理する）を可能にするため、一定周期で反転して長手方向に連続形成されている。
図５は光ファイバスペーサ３のスロット３ａが一定周期で反転する様子を図示したもので、（ａ）は光ファイバスペーサ３の側面図であり、（ｂ）は（ａ）のＢ−Ｂ断面図、（ｃ）は（ａ）のＣ−Ｃ断面図、（ｄ）は（ａ）のＤ−Ｄ断面図である。なお、理解を容易にするために、（ｂ）〜（ｄ）では、スロットにテープ型光ファイバが収容されたテープスロット型光ファイバケーブルとしての断面を示している。
【０００４】
図５（ａ）において、Ｃ−Ｃ断面の位置ｐ１はスロット３ａの撚り方向が逆になる反転位置（中立位置）である。位置ｐ１からＢ−Ｂ断面の位置ｐ２までの離間距離、及び位置ｐ１からＤ−Ｄ断面の位置ｐ３までの離間距離はいずれもＬで等しい。
位置ｐ２では、位置ｐ１と比較して、スロット３ａの位置が反時計方向に角度θ１だけ撚れている。また、位置ｐ３では、位置ｐ１と比較して、スロット３ａの位置が時計方向に角度θ１だけ撚れている。
即ち、位置ｐ２と位置ｐ３とでは、スロット３ａの位置が反転しており、図５（ａ）において、位置ｐ２から位置ｐ３までの離間距離２Ｌが、スロット３ａの向きが反転する半周期ピッチとなっている。
【０００５】
光ファイバスペーサ３のスロット３ａは、図５（ａ）に示した半周期ピッチ毎に、スロット３ａの向きが反転する。このときのスロットの移動角度２θ１をスロットの反転角度と呼ぶ。
スロットの反転角度は、テープスロット型光ファイバケーブル１の伝送特性に大きく影響する。
そこで、従来より、光ファイバスペーサ３の製造工程において、スロットの反転角度の測定が行われている。
【０００６】
スロットの反転角度を測定するスロット反転角度測定手段は、製造した光ファイバスペーサにおけるスロットの反転角度が適正か否かを測定する。
【０００７】
図６は、スロット反転角度測定手段の構成例を示している。
このスロット反転角度測定手段３１は、下記特許文献１においてスロット形状検出部として開示された装置と同様の構成であり、光ファイバスペーサ３の走行経路上の定位置で光ファイバスペーサ３に装着されてスロット３ａの撚りに応じて回転する目板３３の回転量から、スロットの反転角度を検出する。
【０００８】
目板３３は、光ファイバスペーサ３を挿通させる円板部の内周にスロット３ａに嵌合する不図示のピンを設けることで、円板中心に、光ファイバスペーサ３の断面形状に相似のスペーサ挿通穴３３ｃを形成している。
【０００９】
目板３３は、光ファイバスペーサ３がスペーサ挿通穴３３ｃを通過する際に、スロット３ａの撚りに応じて回転する。
目板３３は、目板３３と一体の第１ギヤ３４と共に回転自在に支持されていて、目板３３の回転量は第１ギヤ３４を介して該第１ギヤ３４に噛合した第２ギヤ３６に伝達される。
【００１０】
第２ギヤ３６は、第１ギヤ３４と同一のギヤで、第１ギヤ３４に噛合する定位置に回転自在に支持されている。第２ギヤ３６の軸端には、第２ギヤ３６の回転量を検出する角度検出装置（ロータリーエンコーダ）３８が装備されている。
従って、目板３３の回転量は、第１ギヤ３４を介して第２ギヤ３６に伝達されて、角度検出装置３８により検出される。
【００１１】
【特許文献１】特許第３８５２３７４号
【発明の開示】
【発明が解決しようとする課題】
【００１２】
ところで、光ファイバスペーサ３に係合する目板３３には、スロット３ａの撚りが反転する際に、目板３３の慣性重量によって、それまでの回転を維持しようとする慣性力が働く。
この慣性力は、光ファイバスペーサ３の走行速度が高速になるほど大きくなり、光ファイバスペーサ３の走行速度が一定以上の高速になると、光ファイバスペーサ３の剛性を超える大きさになってしまい、図７に示すように、スロット３ａの反転位置に達したときに、光ファイバスペーサ３に捩り変形を与えて、目板３３に更にθ２の回転を与えてしまう。
【００１３】
光ファイバスペーサ３の走行速度が一定以上の高速の場合には、この慣性力によって増加する目板３３の回転量は、無視できない大きさになってしまい、スロット反転角度測定手段３１により検出した反転角度の信頼性を損なう。
そのため、前述のように目板３３の回転量からスロットの反転角度を検出する光ファイバスペーサのスロット測定方法及び装置では、光ファイバスペーサ３の製造工程において光ファイバスペーサ３の走行速度の高速化によって生産性の向上が図れないという問題が生じた。
【００１４】
本発明は上記課題を解消することを目的とし、光ファイバスペーサの走行速度を高速化した場合でも、目板に働く慣性力の影響で検出精度が低下することなく、スロットの反転角度を高精度に検出することができ、よって、光ファイバスペーサの生産性を向上させることのできる光ファイバスペーサのスロット測定方法及び装置を提供することにある。
【課題を解決するための手段】
【００１５】
（１）上記した課題を解決するために、本発明による光ファイバスペーサのスロット測定方法は、略円筒形状の外表面に光ファイバを収納するスロットが一定周期で反転して長手方向に連続形成される光ファイバスペーサにおける前記スロットの反転角度を、前記スロットの撚りに応じて回転する目板の回転量から検出する光ファイバスペーサのスロット測定方法であって、
前記目板の回転による慣性力と大きさが同一で向きが逆の慣性力を発生する慣性力消滅手段を、前記目板を有したスロット反転角度測定手段と共に前記光ファイバスペーサ上に配置して、前記スロットの反転角度の測定を行うことを特徴とする。
【００１６】
（２）また、上記（１）に記載の光ファイバスペーサのスロット測定方法は、前記慣性力消滅手段として、前記スロット反転角度測定手段と同一構成のものを、前記スロット反転角度測定手段の装備位置から前記スロットの半周期ピッチずらした位置に装備して、前記スロットの反転角度の測定を行うことを特徴としても良い。
【００１７】
（３）また、上記した課題を解決するために、本発明による光ファイバスペーサのスロット測定装置は、繰り出される光ファイバスペーサ上に装着されて前記光ファイバスペーサ上のスロットの撚りに応じて回転する目板の回転量から前記スロットの反転角度の検出を行うスロット反転角度測定手段と、前記スロット反転角度測定手段と共に前記光ファイバスペーサ上に配置されて前記目板の回転による慣性力と大きさが同一で向きが逆の慣性力を発生する慣性力消滅手段とを備え、
前記慣性力消滅手段は、前記スロット反転角度測定手段と同一構成を成し、前記スロット反転角度測定手段の装備位置から前記スロットの半周期ピッチずらした位置に装備されていることを特徴とする。
【００１８】
（４）また、上記した課題を解決するために、本発明による光ファイバスペーサのスロット測定装置は、繰り出される光ファイバスペーサ上に装着されて前記光ファイバスペーサ上のスロットの撚りに応じて回転する目板の回転量から前記スロットの反転角度の検出を行うスロット反転角度測定手段と、前記スロット反転角度測定手段と共に前記光ファイバスペーサ上に配置されて前記目板の回転による慣性力と大きさが同一で向きが逆の慣性力を発生する慣性力消滅手段とを複数対備え、
前記慣性力消滅手段は、前記スロット反転角度測定手段と同一構成を成し、
互いに対を成すスロット反転角度測定手段と慣性力消滅手段とは、前記スロットの反転位置を挟んで前記反転位置から等距離の位置に配置したことを特徴とする。
【発明の効果】
【００１９】
本発明によれば、光ファイバスペーサの製造工程における光ファイバスペーサの走行速度が高速化されて、目板が発生する慣性力が光ファイバスペーサの剛性を超える大きさになる場合でも、目板が発生する慣性力を打ち消す慣性力消滅手段を備えているため、目板の発生する慣性力が光ファイバスペーサに捩り変形を招くことを回避できる。
従って、光ファイバスペーサの走行速度を一定以上に高速化した場合でも、目板の慣性力の影響で検出精度が低下することがなく、スロットの反転角度を高精度に検出することができ、光ファイバスペーサの製造工程における光ファイバスペーサの走行速度の高速化により、光ファイバスペーサの生産性を向上させることができる。
【発明を実施するための最良の形態】
【００２０】
以下、本発明に係る光ファイバスペーサのスロット測定方法及び装置の好適な実施の形態について、図面を参照して詳細に説明する。
図１は本発明に係る光ファイバスペーサのスロット測定装置の第１実施の形態を用いた光ファイバスペーサの製造工程の説明図、図２は図１に示したスロット測定装置の要部構成を示す斜視図である。
【００２１】
図１に示した光ファイバスペーサの製造工程では、図５に示した断面構造の光ファイバスペーサ３を連続して製造するために、装置下流側のキャプスタン２１及びダンサーロール２３により速度調整して、リール２５に蓄線する。
また、リール２５の前段に配置されているダンサーロール２３とキャプスタン２１との間において、本発明の第１実施の形態のスロット測定装置４１により、スロットの反転角度の測定を行う。
【００２２】
図１に示した光ファイバスペーサの製造工程において、スロット測定装置４１により実施する反転角度測定工程以外は、従来製造工程と略同じで、一端側のリール１１に蓄線されている抗張力体９が、キャプスタン１３を介して一対の押出機１４，１５に送り込まれる。一対の押出機１４，１５の内、上流側の押出機１４は抗張力体９の外周に接着剤を塗布するものであり、下流の押出機１５は抗張力体９の周囲にポリエチレン樹脂を被覆する。押出機１４が塗布する接着剤は、下流の押出機１５が被覆するポリエチレン樹脂層の接着強度を向上させる。
下流の押出機１５には、抗張力体９に被覆されたポリエチレン樹脂層を、図５に示した光ファイバスペーサ３の断面形状に押し出し成形するダイス１５ａが組み込まれている。
ダイス１５ａにより所定の断面形状に成形された押し出し成形品１７は、冷却装置１８により冷却されて、所定断面形状の光ファイバスペーサ３に仕上げられる。
【００２３】
本発明の第１実施の形態となるスロット測定装置４１は、冷却装置１８を経て成形が完了した光ファイバスペーサ３をリール２５に送るキャプスタン２１とダンサーロール２３との間に装備されている。
【００２４】
このスロット測定装置４１は、キャプスタン２１から繰り出される光ファイバスペーサ３上に装着されて光ファイバスペーサ３上のスロット３ａの撚りに応じて回転する目板３３の回転量からスロット３ａの反転角度を検出するスロット反転角度測定手段３１と、スロット反転角度測定手段３１と共に光ファイバスペーサ３上に配置されて目板３３の回転による慣性力と大きさが同一で向きが逆の慣性力を発生して目板３３が発生する慣性力を打ち消す慣性力消滅手段４３とを備えている。
なお、光ファイバスペーサ３の走行速度が一定以上の高速になった場合、そのとき生じる慣性力によって増加する目板３３の反転角度差と走行速度との関係は、図４に示すように、比例関係にあることが確認された。
【００２５】
スロット反転角度測定手段３１は、図６に示した構成のものである。
また、本実施の形態の場合、慣性力消滅手段４３は、スロット反転角度測定手段３１と同一構成を成している。
【００２６】
この慣性力消滅手段４３は、光ファイバスペーサ３上で、スロット反転角度測定手段３１の装備位置から下流側にスロット３ａの半周期ピッチ分の距離２Ｌ（図５（ａ）参照）だけずらした位置に装備されている。即ち、慣性力消滅手段４３を構成している目板３３Ａは、図２に示すように、スロット反転角度測定手段３１の目板３３からスロット３ａの撚りの半周期ピッチ分の距離２Ｌだけ離間して、光ファイバスペーサ３上に装着されている。
【００２７】
なお、本実施の形態では、慣性力消滅手段４３はスロット反転角度測定手段３１と同一構成とし、例えばスロット反転角度測定手段３１のギヤ３４，３６と慣性力消滅手段４３のギヤとに生じる慣性力が互いに相殺されるものと考えれば、慣性力消滅手段４３の目板３３Ａと、スロット反転角度測定手段３１の目板３３とが同一のものであると言い換えることもできる。また、慣性力消滅手段４３の目板３３Ａは、スロット反転角度測定手段３１の目板３３からスロット３ａの撚りの半周期ピッチ分だけ離間しているので、光ファイバスペーサ３上の目板３３に対し向きが逆の慣性力を発生することができる。
【００２８】
以上に説明したスロット測定装置４１では、図６に示したスロット反転角度測定手段３１が、スロット３ａの撚りに応じて回転する目板３３の回転量をギヤ３４，３６を介して角度検出装置３８で検出することで、スロットの反転角度２θ１の検出を行う。
その際、スロット反転角度測定手段３１の目板３３には、スロット３ａの撚りが反転する際に、目板３３の慣性重量によって、それまでの回転を維持しようとする慣性力（回転モーメント）が働く。
【００２９】
しかし、本実施の形態のスロット測定装置４１では、慣性力消滅手段４３が装備されている。慣性力消滅手段４３は、スロット反転角度測定手段３１と同一の構成で、スロット反転角度測定手段３１からスロット３ａの撚りの半周期ピッチ分の距離２Ｌだけずらして配置されている。そのため、慣性力消滅手段４３の目板３３Ａが装着されている位置におけるスロット３ａの撚りは、スロット反転角度測定手段３１の目板３３が装着されている位置におけるスロット３ａの撚りに対して反転した撚りになっている。
【００３０】
従って、図２に示すように、慣性力消滅手段４３における目板３３Ａには、スロット反転角度測定手段３１の目板３３に作用する慣性力Ｍ１と大きさが同一で、向きが逆の慣性力Ｍ２が発生し、スロット反転角度測定手段３１の目板３３が発生する慣性力Ｍ１を相殺する。
【００３１】
したがって、目板３３が発生する慣性力で光ファイバスペーサ３に捩り変形が生じることを防止でき、光ファイバスペーサ３の走行速度を一定以上に高速化した場合でも、目板３３の慣性力の影響で検出精度が低下することがなく、スロット３ａの反転角度を高精度に検出することができる。また、光ファイバスペーサ３の製造工程における光ファイバスペーサ３の走行速度の高速化により、光ファイバスペーサ３の生産性を向上させることができる。
【００３２】
更に、慣性力消滅手段４３が、スロット反転角度測定手段３１と同一構成で良いため、新たに慣性力消滅手段４３を開発する費用・時間が不要で、既存のスロット反転角度測定手段３１を従来設備に追加をするだけで、上記実施の形態のスロット測定装置４１を得ることができる。
【００３３】
以上のスロット測定装置４１が実施する測定方法は、光ファイバスペーサの製造工程で連続的に製造される光ファイバスペーサ３のスロット３ａの反転角度を、スロット３ａの撚りに応じて回転する目板３３の回転量から検出する光ファイバスペーサのスロット測定方法を改善したものである。
改善した点は、目板３３の回転による慣性力Ｍ１と大きさが同一で向きが逆の慣性力Ｍ２を発生して目板３３が発生する慣性力Ｍ１を打ち消す慣性力消滅手段４３を、目板３３を有したスロット反転角度測定手段３１と共に光ファイバスペーサ３上に配置して、スロット３ａの反転角度の測定を行うようにした点である。
【００３４】
更に特徴的なことは、上記実施の形態では、慣性力消滅手段４３として、スロット反転角度測定手段３１と同一構成のものを、光ファイバスペーサ３上で、スロット反転角度測定手段３１の装備位置からスロット３ａの半周期ピッチずらした位置に装備して、スロット３ａの反転角度の測定を行うようにしている点である。
【００３５】
但し、本発明のスロット測定方法で必須構成となる慣性力消滅手段は、スロット反転角度測定手段３１の目板３３が発生する慣性力を相殺できれば良く、具体的な構成は、スロット反転角度測定手段３１と同一の構成に限らない。
例えば、図６に示した構成において、ギヤ３４，３６や角度検出装置３８などは省略し、代わりに、これらの省略する部材による慣性重量を加算した大型の目板を使用するようにしても良い。
【００３６】
また、慣性力消滅手段に使用する目板を、目板３３と異なる寸法・重量のものに変えた場合には、スロット反転角度測定手段３１との離間距離も上記実施の形態に示した半周期ピッチに限定されない。慣性力消滅手段としての目板の発生する慣性力が、スロット反転角度測定手段３１の目板３３の発生する慣性力と同じ大きさで、向きが逆となるように、目板３３との離間距離を適宜に調整すると良い。
【００３７】
また、本発明に係る光ファイバスペーサのスロット測定方法及び装置において、光ファイバスペーサ３の走行経路上に装備するスロット反転角度測定手段及び慣性力消滅手段の数量は、上記実施の形態に示した一対の場合に限らない。スロット反転角度測定手段と慣性力消滅手段との対を、複数対設けた構成にすることもできる。
【００３８】
図３は、本発明に係るスロット測定装置の第２の実施の形態の要部の構成を示す斜視図である。
この第２の実施の形態のスロット測定装置５１は、繰り出される光ファイバスペーサ３上に装着されて光ファイバスペーサ３上のスロット３ａの撚りに応じて回転する目板３３の回転量からスロット３ａの反転角度の検出を行う２つのスロット反転角度測定手段３１，３２と、スロット反転角度測定手段３１，３２と共に光ファイバスペーサ３上に配置されて目板３３の回転による慣性力と大きさが同一で向きが逆の慣性力を発生して目板３３が発生する慣性力を打ち消す２つの慣性力消滅手段４３，４４とを備えている。
【００３９】
スロット反転角度測定手段３１，３２は、同一構成で、図６に示した構成である。なお、図を簡略化するため、各スロット反転角度測定手段３１，３２は、目板３３以外の構成は図示していない。
【００４０】
慣性力消滅手段４３は、スロット反転角度測定手段３１と対を成すもので、スロット反転角度測定手段３１の目板３３が発生する慣性力を打ち消す。また、慣性力消滅手段４４は、スロット反転角度測定手段３２と対を成すもので、スロット反転角度測定手段３２の目板３３が発生する慣性力を打ち消す。
即ち、本実施の形態のスロット測定装置５１は、互いに対をなすスロット反転角度測定手段と慣性力消滅手段を、２対備えている。
【００４１】
本実施の形態の場合、慣性力消滅手段４３，４４は、図６に示したスロット反転角度測定手段３１と同一の構成である。これらの慣性力消滅手段４３，４４では、符号３３Ａが、光ファイバスペーサ３のスロット３ａの撚りに応じて回転する目板である。目板３３Ａは、目板３３と同一の寸法・重量である。
【００４２】
そして、互いに対を成すスロット反転角度測定手段３１と慣性力消滅手段４３とは、図３に示すように、スロット３ａの反転位置ｐ１を挟んで反転位置ｐ１から距離Ｌだけ離れた位置に配置されている。図３において、スロット反転角度測定手段３１と慣性力消滅手段４３との離間距離２Ｌは、スロット３ａの撚りの半周期ピッチの長さである。
【００４３】
また、スロット反転角度測定手段３２と慣性力消滅手段４４とは、図３に示すように、スロット３ａの反転位置ｐ１を挟んで反転位置ｐ１から距離Ｌ１だけ離れた位置に配置されている。
【００４４】
即ち、互いに対を成すスロット反転角度測定手段３１と慣性力消滅手段４３、及びスロット反転角度測定手段３２と慣性力消滅手段４４は、スロット３ａの反転位置ｐ１を挟んで反転位置ｐ１から等距離の位置に配置されている。
【００４５】
このように配置したことで、慣性力消滅手段４４は、対をなすスロット反転角度測定手段３２の目板３３が発生する慣性力Ｍ３と大きさが同一で向きが逆の慣性力Ｍ４を発生し、スロット反転角度測定手段３２の目板３３が発生する慣性力を相殺する。
また、慣性力消滅手段４３は、対をなすスロット反転角度測定手段３１の目板３３が発生する慣性力Ｍ５と大きさが同一で向きが逆の慣性力Ｍ６を発生し、スロット反転角度測定手段３１の目板３３が発生する慣性力を相殺する。
【００４６】
以上に説明した第２の実施の形態のスロット測定装置５１では、慣性力の相殺を行うスロット反転角度測定手段と慣性力消滅手段とを２対設けたことで、慣性力の相殺作用が２重に実施されるため、スロット反転角度測定手段における目板の慣性力の影響をより確実に消滅させることができ、スロット３ａの反転角度の検出精度の更なる向上を期待することができる。
【図面の簡単な説明】
【００４７】
【図１】本発明に係る光ファイバスペーサのスロット測定装置の第１実施の形態を用いた光ファイバスペーサの製造工程の説明図である。
【図２】図１に示したスロット測定装置の要部構成を示す斜視図である。
【図３】本発明に係るスロット測定装置の第２の実施の形態の要部の構成を示す斜視図である。
【図４】光ファイバスペーサの製造速度と反転角度差との関係を示した図である。
【図５】光ファイバスペーサのスロットを説明する図で、（ａ）は光ファイバスペーサの側面図、（ｂ）は（ａ）のＢ−Ｂ断面図、（ｃ）は（ａ）のＣ−Ｃ断面図、（ｄ）は（ａ）のＤ−Ｄ断面図である。
【図６】光ファイバスペーサの製造工程で使用されている光ファイバスペーサのスロット測定装置の斜視図である。
【図７】慣性力の影響によって増加する目板の回転量の説明図である。
【符号の説明】
【００４８】
３  光ファイバスペーサ
３１  スロット反転角度測定手段
３２  スロット反転角度測定手段
３３，３３Ａ  目板
３３ｃ  スペーサ挿通穴
３４  第１ギヤ
３６  第２ギヤ
３８  角度検出装置（ロータリーエンコーダ）
４１  スロット測定装置
４３  慣性力消滅手段
４４  慣性力消滅手段
５１  スロット測定装置
【図１】
2010102114.tif 000003
【図２】
2010102114.tif 000004
【図３】
2010102114.tif 000005
【図４】
2010102114.tif 000006
【図５】
2010102114.tif 000007
【図６】
2010102114.tif 000008
【図７】
2010102114.tif 000009